【手続補正書】
【提出日】平成19年4月26日(2007.4.26)
【手続補正１】
【補正対象書類名】明細書
【補正対象項目名】発明の名称
【補正方法】変更
【補正の内容】
【発明の名称】デジタル放送受信機、通信センタおよび通信センタの配信方法
【手続補正２】
【補正対象書類名】明細書
【補正対象項目名】特許請求の範囲
【補正方法】変更
【補正の内容】
【特許請求の範囲】  
【請求項１】
デジタル放送をチューナにより受信するデジタル放送受信機であって、
前記チューナとは別に、通信センタから番組の案内データを、公衆回線を介して受信する通信手段と、
前記番組の案内データに基づき、番組表のデータを作成し、該作成された番組表のデータに基づいて前記チューナを制御可能な制御手段とを備え、
前記制御手段は、前記番組の案内データよりもデータ量が少なく、前記通信センタで生成されたカスタム番組表のデータを前記通信手段より受信し、該カスタム番組表のデータに基づき、前記チューナを制御可能であることを特徴とするデジタル放送受信機。
【請求項２】
指示入力可能な操作手段を備え、
前記制御手段は、該制御手段により作成された番組表のデータと前記通信センタで作成された前記カスタム番組表のデータとのうち、前記操作手段への所定操作に応答して選択されるいずれか一方のデータを、前記チューナの制御に用いることを特徴とする請求項１記載のデジタル放送受信機。
【請求項３】
ユーザごとに設定され、番組表内に記述されるべき番組の選択条件と該番組表内の番組記述の配列条件とのうち、少なくとも一方の条件を含む生成条件を予め記憶している生成条件記憶手段を備え、
前記制御手段は、前記ユーザに応じた前記生成条件に基づく番組表のデータの生成を行うことを特徴とする請求項１または２記載のデジタル放送受信機。
【請求項４】
前記制御手段は、前記番組のデータを受信する前に、受信すべき放送局を指定するための放送局指定条件を、前記通信手段を介して前記通信センタに送信し、該通信センタから、前記放送局指定条件に適合する放送局の番組データを受信することを特徴とする請求項１〜３のいずかに記載のデジタル放送受信機。
【請求項５】
前記放送局指定条件は、少なくとも前記チューナの位置情報であり、
前記制御手段は、前記位置情報に応じた放送局の番組のデータを受信することを特徴とする請求項１〜４のいずかに記載のデジタル放送受信機。
【請求項６】
前記制御手段は、前記番組のデータを受信する前に、復調すべき番組を検索するための番組検索条件を、前記通信手段を介して前記通信センタに送信し、
前記通信センタが番組のデータから検索した前記番組検索条件に適合する番組の案内データを受信し、該受信した番組の案内データに基づき、該番組の内容データが復調されるように、前記チューナを制御することを特徴とする請求項１〜５のうちのいずれかに記載のデジタル放送受信機。
【請求項７】
視聴が予約されている番組の放送開始日時と放送チャネルとを指定している予約データを記憶するための予約データ記憶手段を備え、
（１）前記番組の案内データの受信後、該案内データに基づいて該番組が現在放送中であるか否かを判断し、放送中であれば該案内データに基づく番組の内容データの復調抽出を前記チューナに開始させ、放送前であれば該案内データに基づき該番組の予約データを作成して予約データ記憶手段に記憶させ、
（２）予約データ記憶手段内の予約データが指定する放送開始日時と現在日時とを比較し、該放送開始日時が現在日時と一致した場合、該予約データが指定する放送チャネルの番組の内容データを復調抽出するように、前記チューナを制御することを特徴とする請求項１〜６のいずれかに記載のデジタル放送受信機。
【請求項８】
指示入力可能な操作手段を備え、
前記制御手段は、前記予約データ記憶手段内に予約データが有る場合、
（１）予約データが有る旨を示すデータを再生装置に与えて提示させ、
（２）前記操作手段への予約データの内容開示の指示のための所定操作に応答して、前記予約データ記憶手段内の予約データを再生装置に与えて、該予約データの内容を提示させることを特徴とする請求項７記載のデジタル放送受信機。
【請求項９】
デジタル放送の番組の案内データを、デジタル放送受信機に公衆回線を介して提供する通信センタであって、
該通信センタが前記受信機に提供するデジタル放送の番組の案内データよりも少ないカスタム番組表のデータを生成し、該生成したカスタム番組表を請求項１〜８のいずれか１つに記載の受信機に提供することを特徴とする通信センタ。
【請求項１０】
前記通信センタは、番組視聴に関する好みを示すユーザプロファイルを予め記憶しており、カスタム番組表に記載すべき番組の選択条件を少なくとも含む生成条件をユーザプロファイルに基づいて設定し、該生成条件と前記放送局の放送に関するデータ内の案内データとに基づいてカスタム番組表のデータを生成し、該生成したカスタム番組表を前記受信機に提供することを特徴とする請求項９記載の通信センタ。
【請求項１１】
デジタル放送の番組の案内データを、デジタル放送受信機に公衆回線を介して提供する通信センタの配信方法であって、
該通信センタが前記受信機に提供するデジタル放送の番組の案内データよりも少ないカスタム番組表のデータを生成し、該生成したカスタム番組表を前記受信機に提供することを特徴とする通信センタの配信方法。
【請求項１２】
前記通信センタは、番組視聴に関する好みを示すユーザープロファイルを予め記憶しており、カスタム番組表に記載すべき番組の選択条件を少なくとも含む生成条件をユーザプロファイルに基づいて設定し、該生成条件と前記放送局の放送に関するデータ内の案内データとに基づいてカスタム番組表のデータを生成し、該生成したカスタム番組表を前記受信機に提供することを特徴とする請求項１１記載の通信センタの配信方法。
【手続補正３】
【補正対象書類名】明細書
【補正対象項目名】０００１
【補正方法】変更
【補正の内容】
【０００１】
【発明が属する技術分野】
本発明は、多チャネルデジタル放送の放送波を受信するデジタル放送受信機、前記デジタル放送受信機にデジタル放送の番組の案内データを提供する通信センタおよび通信センタの配信方法に関する。
【手続補正４】
【補正対象書類名】明細書
【補正対象項目名】００１２
【補正方法】変更
【補正の内容】
【００１２】
本発明の目的は、多チャネルデジタル放送において、番組自体の内容データ以外の放送に関するデータを用いる処理を放送波の受信開始直後から実行可能なデジタル放送受信機、前記デジタル放送受信機にデジタル放送の番組の案内データを提供する通信センタおよび通信センタの配信方法を提供することである。
【手続補正５】
【補正対象書類名】明細書
【補正対象項目名】００１３
【補正方法】変更
【補正の内容】
【００１３】
【課題を解決するための手段】
本発明は、デジタル放送をチューナにより受信するデジタル放送受信機であって、
前記チューナとは別に、通信センタから番組の案内データを、公衆回線を介して受信する通信手段と、
前記番組の案内データに基づき、番組表のデータを作成し、該作成された番組表のデータに基づいて前記チューナを制御可能な制御手段とを備え、
前記制御手段は、前記番組の案内データよりもデータ量が少なく、前記通信センタで生成されたカスタム番組表のデータを前記通信手段より受信し、該カスタム番組表のデータに基づき、前記チューナを制御可能であることを特徴とするデジタル放送受信機である。
【手続補正６】
【補正対象書類名】明細書
【補正対象項目名】００１４
【補正方法】変更
【補正の内容】
【００１４】
本発明に従えば、デジタル放送受信機であって、デジタル放送とは別系統の通信によってデジタル放送の番組の案内データが通信センタから入手され、該案内データに基づきチューナが制御される。これによってデジタル放送受信機は、放送波の過去の受信状況に関わらず、案内データに基づくチューナの制御が可能になる。またデジタル放送受信機は、放送波によって伝送されている放送局の放送に関するデータを常に監視しておく必要がなくなり、かつ該案内データを不定期に得ることが容易に可能になる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
また番組の案内データに基づいて、番組表のデータが生成される。これによってデジタル放送受信機において、放送波の過去の受信状況に関わらず、番組表のデータの生成が可能になり、かつ該番組表のデータに基づくチューナの制御が可能になる。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
また通信センタから前記番組の案内データよりもデータ量の少ないカスタム番組表のデータが提供されている場合、デジタル放送受信機では、該カスタム番組表のデータが入手される。これによって、デジタル放送受信機において番組表のデータを作成する手間が省かれるので、番組表のデータを迅速に提示することができる。またこれによって、提供源から入手されるデータのデータ量が減少するので、データ入手に要する時間およびデータ入手にかかる費用が減少する。
【手続補正１１】
【補正対象書類名】明細書
【補正対象項目名】００１９
【補正方法】変更
【補正の内容】
【００１９】
本発明のデジタル放送受信機は、指示入力可能な操作手段を備え、
前記再生制御手段は、該制御手段により作成された前記番組表のデータと前記通信センタで作成されたカスタム番組表のデータとのうち、前記操作手段への所定操作に応答して選択されるいずれか一方のデータを、前記チューナの制御に用いることを特徴とする。
【手続補正１２】
【補正対象書類名】明細書
【補正対象項目名】００２０
【補正方法】変更
【補正の内容】
【００２０】
本発明に従えば、デジタル放送受信機において、該デジタル放送受信機内で作成されている番組表のデータと、通信センタから入手されているカスタム番組表のデータとのうちのいずれか一方のデータが、チューナの制御に用いられる。これによって、デジタル放送受信機の操作の一意性が保たれ、かつデジタル放送受信機の視聴者の混乱を防ぐことが可能になる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
本発明の通信センタは、番組視聴に関する好みを示すユーザプロファイルを予め記憶しており、カスタム番組表に記載すべき番組の選択条件を少なくとも含む生成条件をユーザプロファイルに基づいて設定し、該生成条件と前記放送局の放送に関するデータ内の案内データとに基づいてカスタム番組表のデータを生成し、該生成したカスタム番組表を前記受信機に提供することを特徴とする。
【手続補正１６】
【補正対象書類名】明細書
【補正対象項目名】００２４
【補正方法】変更
【補正の内容】
【００２４】
本発明に従えば、デジタル放送受信機に対し提供されるカスタム番組表のデータの生成に、放送局の放送に関するデータ内の案内データだけでなく、ユーザプロファイルに基づいて設定されている生成条件が用いられる。この結果、多数の選択肢を含みかつ視聴者の好みに応じた効率的な番組選択が可能なカスタム番組表のデータが生成されるので、該カスタム番組表を用いるデジタル放送受信機の使い勝手が向上する。
【手続補正１７】
【補正対象書類名】明細書
【補正対象項目名】００２５
【補正方法】変更
【補正の内容】
【００２５】
本発明のデジタル放送受信機は、ユーザごとに設定され、番組表内に記述されるべき番組の選択条件と該番組表内の番組記述の配列条件とのうち、少なくとも一方の条件を含む生成条件を予め記憶している生成条件記憶手段を備え、
前記再生制御手段は、前記ユーザに応じた前記生成条件に基づく番組表のデータの生成を行うことを特徴とする。
【手続補正１８】
【補正対象書類名】明細書
【補正対象項目名】００２６
【補正方法】変更
【補正の内容】
【００２６】
本発明に従えば、デジタル放送受信機において、通信センタからの放送局の放送に関するデータ内の案内データだけでなく、ユーザごとに設定され、番組表内に記述されるべき番組の選択条件や番組記述の配列条件等を定めている生成条件に基づいて、番組表のデータが生成される。これによって番組表のデータを用いる番組選択性が向上するので、デジタル放送受信機の使い勝手が向上する。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
本発明のデジタル放送受信機は、前記制御手段は、前記番組のデータを受信する前に、受信すべき放送局を指定するための放送局指定条件を、前記通信手段を介して前記通信センタに送信し、該通信センタから、前記放送局指定条件に適合する放送局の番組データだけを受信することを特徴とする。
【手続補正２６】
【補正対象書類名】明細書
【補正対象項目名】００３４
【補正方法】変更
【補正の内容】
【００３４】
本発明に従えば、前記番組のデータを受信する前に、受信すべき放送局を指定するための放送局指定条件がデジタル放送受信機から通信センタに与えられ、かつ該放送局指定条件に適合する放送局の番組データだけを通信センタから受信する。これによって、デジタル放送受信機と通信センタとの間で授受されるデータのデータ量が減少するので、デジタル放送受信機と通信センタとの間の通信にかかる時間が短くなり、かつ該通信にかかる費用が減少する。
【手続補正２７】
【補正対象書類名】明細書
【補正対象項目名】００３５
【補正方法】変更
【補正の内容】
【００３５】
本発明のデジタル放送受信機において、前記放送局指定条件は、少なくとも前記チューナの位置情報であり、
前記制御手段は、前記位置情報に応じた放送局の番組のデータを受信することを特徴とする。
【手続補正２８】
【補正対象書類名】明細書
【補正対象項目名】００３６
【補正方法】変更
【補正の内容】
【００３６】
本発明に従えば、放送局指定条件は、少なくとも前記チューナの現在情報である場合、該位置情報がデジタル放送受信機から通信センタに通知され、該位置情報に応じて通信センタからデジタル放送受信機に提供されるデータが取捨選択される。これによって、デジタル放送受信機が移動可能な構成であっても、提供すべきデータが的確に取捨選択される。
【手続補正２９】
【補正対象書類名】明細書
【補正対象項目名】００３７
【補正方法】変更
【補正の内容】
【００３７】
本発明のデジタル放送受信機は、前記制御手段が、前記番組のデータを受信する前に、復調すべき番組を検索するための番組検索条件を、前記通信手段を用いて前記通信センタに送信し、
前記通信センタが番組のデータから検索した前記番組検索条件に適合する番組の案内データを受信し、該受信した番組の案内データに基づき、該番組の内容データが復調抽出されるように前記チューナを制御することを特徴とする。
【手続補正３０】
【補正対象書類名】明細書
【補正対象項目名】００３８
【補正方法】変更
【補正の内容】
【００３８】
本発明に従えば、通信センタから前記番組のデータを受信する前に、復調すべき番組を検索するための番組検索条件がデジタル放送受信機から通信センタに送信され、番組検索条件に適合する番組の案内データが通信センタによって検索されて受信機が受信し、受信した案内データに基いてチューナが制御される。このように復調すべき番組の案内データが、データ放送受信機ではなく通信センタにおいて検索されるので、制御手段の負荷が軽減される。
【手続補正３１】
【補正対象書類名】明細書
【補正対象項目名】００３９
【補正方法】変更
【補正の内容】
【００３９】
本発明のデジタル放送受信機は、視聴が予約されている番組の放送開始日時と放送チャネルとを指定している予約データを記憶するための予約データ記憶手段を備え、
（１）前記番組の案内データの受信後、該案内データに基づいて該番組が現在放送中であるか否かを判断し、放送中であれば該案内データに基づく番組の内容データの復調抽出を前記チューナに開始させ、放送前であれば該案内データに基づき該番組の予約データを作成して予約データ記憶手段に記憶させ、
（２）予約データ記憶手段内の予約データが指定する放送開始日時と現在日時とを比較し、該放送開始日時が現在日時と一致した場合、該予約データが指定する放送チャネルの番組の内容データを復調抽出するように、前記チューナを制御することを特徴とする。
【手続補正３２】
【補正対象書類名】明細書
【補正対象項目名】００４０
【補正方法】変更
【補正の内容】
【００４０】
本発明に従えば、デジタル放送受信機において、通信センタから提供される番組の案内データの受信後、該番組が放送中であれば、該案内データに基づき該番組の内容データの復調抽出が即座に開始される。前記番組が未放送であれば、該番組の放送開始日時と放送チャネルとを指定する予約データが作成され、該放送開始日時が現在日時と一致した場合、該番組の内容データの復調抽出が開始される。これによって、番組検索条件送信後、視聴者による操作が無くても番組の内容データが復調抽出されるので、デジタル放送受信機の使い勝手が良くなる。
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】変更
【補正の内容】
【００４３】
本発明のデジタル放送受信機は、指示入力可能な操作手段を備え、
前記制御手段は、前記予約データ記憶手段内に予約データが有る場合、
（１）予約データが有る旨を示すデータを再生装置に与えて提示させ、
（２）前記操作手段への予約データの内容開示の指示のための所定操作に応答して、前記予約データ記憶手段内の予約データを再生装置に与えて、該予約データの内容を提示させることを特徴とする。
【手続補正３６】
【補正対象書類名】明細書
【補正対象項目名】００４４
【補正方法】変更
【補正の内容】
【００４４】
本発明に従えば、予約データが記憶された場合、予約データが有る旨が提示される。また予約データの記憶中に視聴者が操作手段を用いて予約データの内容開示を指示するならば、該予約データの内容が再生装置を用いて視聴者に提示される。これらによって、デジタル放送受信機の使い勝手がさらに向上する。
【手続補正３７】
【補正対象書類名】明細書
【補正対象項目名】００４５
【補正方法】変更
【補正の内容】
【００４５】
また本発明は、デジタル放送の番組の案内データを、デジタル放送受信機に公衆回線を介して提供する通信センタであって、
該通信センタが前記受信機に提供するデジタル放送の番組の案内データよりも少ないカスタム番組表のデータを生成し、該生成したカスタム番組表を請求項１〜８のいずれか１つに記載の受信機に提供することを特徴とする通信センタである。
【手続補正３８】
【補正対象書類名】明細書
【補正対象項目名】００４６
【補正方法】変更
【補正の内容】
【００４６】
また本発明は、前記通信センタにおいて、番組視聴に関する好みを示すユーザプロファイルを予め記憶しており、カスタム番組表に記載すべき番組の選択条件を少なくとも含む生成条件をユーザプロファイルに基づいて設定し、該生成条件と前記放送局の放送に関するデータ内の案内データとに基づいてカスタム番組表のデータを生成し、該生成したカスタム番組表を前記受信機に提供することを特徴とする。
【手続補正３９】
【補正対象書類名】明細書
【補正対象項目名】００４７
【補正方法】変更
【補正の内容】
【００４７】
また本発明は、デジタル放送の番組の案内データを、デジタル放送受信機に公衆回線を介して提供する通信センタの配信方法であって、
該通信センタが前記受信機に提供するデジタル放送の番組の案内データよりも少ないカスタム番組表のデータを生成し、該生成したカスタム番組表を前記受信機に提供することを特徴とする通信センタの配信方法である。
【手続補正４０】
【補正対象書類名】明細書
【補正対象項目名】００４８
【補正方法】変更
【補正の内容】
【００４８】
また本発明は、前記通信センタの配信方法において、前記通信センタは、番組視聴に関する好みを示すユーザープロファイルを予め記憶しており、カスタム番組表に記載すべき番組の選択条件を少なくとも含む生成条件をユーザプロファイルに基づいて設定し、該生成条件と前記放送局の放送に関するデータ内の案内データとに基づいてカスタム番組表のデータを生成し、該生成したカスタム番組表を前記受信機に提供することを特徴とする。
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５４
【補正方法】変更
【補正の内容】
【００５４】
放送システム２は、受信機１の他に、２局以上の放送局３と送信設備４と通信センタである提供源５とを含む。放送システム２においては、１本以上の搬送波が用意されており、各搬送波に複数のチャネルが割当てられており、各チャネルは放送局３に個別に割当てられている。単一チャネルに割当てられる放送局３は、地域毎に異なっていても良い。搬送波毎に、１局以上の放送局３の番組自体の内容データを該放送局３に割当てられているチャネルに応じて多重化することによって、該搬送波の変調に用いられるベースバンド信号が構成されている。好ましくは、該放送局３の放送に関するデータである放送関連データが、さらに多重化されている。ベースバンド信号に基づいてデジタル変調された搬送波である１本以上の放送波が、送信設備４から無線伝送路に送出される。
【手続補正４６】
【補正対象書類名】明細書
【補正対象項目名】０１２７
【補正方法】変更
【補正の内容】
【０１２７】
【発明の効果】
以上のように本発明によれば、デジタル放送の受信機であって、デジタル放送とは別系統の通信によってデジタル放送の番組の案内データが通信センタから入手され、該案内データに基づきチューナが制御される。これによってデジタル放送受信機は、放送波の過去の受信状況に関わらず、案内データに基づくチューナの制御が可能になる。
【手続補正４７】
【補正対象書類名】明細書
【補正対象項目名】０１２８
【補正方法】変更
【補正の内容】
【０１２８】
また通信センタから前記番組の案内データよりもデータ量の少ないカスタム番組表のデータが提供されている場合、デジタル放送受信機では、該カスタム番組表のデータが入手される。これによって、番組表のデータを迅速な提示が可能になり、かつデータ入手に要する時間およびデータ入手にかかる費用が減少する。
【手続補正４８】
【補正対象書類名】明細書
【補正対象項目名】０１２９
【補正方法】変更
【補正の内容】
【０１２９】
また本発明によれば、該デジタル放送受信機内で作成されている番組表のデータと前記カスタム番組表のデータとのうちのいずれか一方のデータが、チューナの制御に用いられる。これによって、デジタル放送受信機の操作の一意性が保たれ、かつデジタル放送受信機の視聴者の混乱を防ぐことが可能になる。
【手続補正４９】
【補正対象書類名】明細書
【補正対象項目名】０１３０
【補正方法】変更
【補正の内容】
【０１３０】
また本発明によれば、通信センタおけるカスタム番組表のデータの生成に、通信センタ放送局の放送に関するデータ内の案内データだけでなく、ユーザプロファイル起因の生成条件が用いられる。提供源内のユーザプロファイルは、デジタル放送受信機における番組再生の履歴の集計結果の分析結果に基づき、自動的に補正更新される。これによって、視聴者によるユーザプロファイルの再設定の手間を省くことが可能になる。
【手続補正５０】
【補正対象書類名】明細書
【補正対象項目名】０１３１
【補正方法】変更
【補正の内容】
【０１３１】
さらにまた本発明によれば、デジタル放送受信機においては、通信センタからの放送局の放送に関するデータ内の案内データだけでなく、ユーザごとに設定され、番組表内に記述されるべき番組の選択条件や番組記述の配列条件等を定めている予め定める生成条件に基づいて、番組表のデータが生成される。これによって番組表のデータを用いる番組選択性が向上するので、デジタル放送受信機の使い勝手が向上する。
【手続補正５１】
【補正対象書類名】明細書
【補正対象項目名】０１３２
【補正方法】削除
【補正の内容】
【手続補正５２】
【補正対象書類名】明細書
【補正対象項目名】０１３３
【補正方法】削除
【補正の内容】
【手続補正５３】
【補正対象書類名】明細書
【補正対象項目名】０１３４
【補正方法】変更
【補正の内容】
【０１３４】
さらにまた本発明によれば、前記番組のデータを受信する前に、受信すべき放送局を指定するための放送局指定条件がデジタル放送受信機から通信センタに与えられ、かつ該放送局指定条件に適合する放送局の番組データだけを通信センタから受信される。これによって、デジタル放送受信機と通信センタとの間の通信にかかる時間が短くなり、かつ該通信にかかる費用が減少する。
【手続補正５４】
【補正対象書類名】明細書
【補正対象項目名】０１３５
【補正方法】変更
【補正の内容】
【０１３５】
また本発明によれば、チューナの現在情報がデジタル放送受信機から通信センタに通知され、さらに通信センタから提供可能な放送局の放送に関するデータ内の該現在情報が表す位置でチューナが受信不能な放送局の放送に関するデータ以外の残余データだけが、通信センタから提供される。これによって、デジタル放送受信機が移動可能であっても、提供すべきデータを前記提供可能な放送局の放送に関するデータ内から的確に取捨選択することができる。
【手続補正５５】
【補正対象書類名】明細書
【補正対象項目名】０１３６
【補正方法】変更
【補正の内容】
【０１３６】
さらにまた本発明によれば、通信センタから前記番組のデータを受信する前に、復調すべき番組を検索するための番組検索条件がデジタル放送受信機から通信センタに送信され、番組検索条件に適合する番組の案内データが通信センタによって検索されて受信機が受信し、受信した案内データに基いてチューナが制御される。これによって、デジタル放送受信機内の再生制御手段の負荷が軽減される。
【手続補正５６】
【補正対象書類名】明細書
【補正対象項目名】０１３７
【補正方法】変更
【補正の内容】
【０１３７】
また本発明によれば、通信センタからの番組の案内データの受信後、該番組が放送中であれば、デジタル放送受信機において該案内データに基づき該番組の内容データの復調抽出が即座に開始される。前記番組が未放送であれば、該番組の放送開始日時と放送チャネルとを指定する予約データが作成され、該放送開始日時が現在日時と一致した場合、該番組の内容データの復調抽出が開始される。これによって、番組検索条件送信後、視聴者による操作が無くても番組の内容データが復調抽出されるので、デジタル放送受信機の使い勝手が良くなる。
【手続補正５７】
【補正対象書類名】明細書
【補正対象項目名】０１３８
【補正方法】削除
【補正の内容】
【手続補正５８】
【補正対象書類名】明細書
【補正対象項目名】０１３９
【補正方法】変更
【補正の内容】
【０１３９】
また本発明によれば、予約データが記憶された場合、予約データが有る旨が提示される。また予約データの記憶中に視聴者が操作手段を用いて予約データの内容開示を指示するならば、該予約データの内容が再生装置を用いて視聴者に提示される。これらによって、デジタル放送受信機の使い勝手がさらに向上する。
【手続補正５９】
【補正対象書類名】明細書
【補正対象項目名】０１４０
【補正方法】削除
【補正の内容】
【手続補正６０】
【補正対象書類名】明細書
【補正対象項目名】０１４１
【補正方法】削除
【補正の内容】
【手続補正６１】
【補正対象書類名】明細書
【補正対象項目名】０１４２
【補正方法】削除
【補正の内容】